Podtech/llm-jp-corpus-v4-ja_patent huggingface dataset:
(57)【要約】      （修正有）【課題】食事中の会話に便利な、耳にかけるのではない、手に持つマスクを提供する。【解決手段】紙製または不織布のマスク５を中央下部に持ち手のついたＹ字型の紙枠にふくらみを持たせて固定し、持ち手中央の折り目の握り具合により調整し、顔の大きさにフィットさせる。収納にかさばらず、開けば立体的になる。外枠と持ち手部は一体で、地球環境に優しく、食事中の会話の度にマスクを耳にかけ直す煩わしさもなく、枠部の大きさやデザイン変化で子供から大人まで、また様々なシチュエーションに適合できる。安価な材料で使い捨てのため、衛生面からも安全で、飛沫拡散防止に効果があり、感染防止に役立つ。【選択図】図３
0003231542.tif 000002
【実用新案登録請求の範囲】
【請求項１】
手に持つ支持体の紙の枠に不織布、または紙製（抗菌）のマスクを接着し、従来の耳に掛けるマスクではなく、マスク下部中央に持ち手のある、手で持って口を覆う形態にする。また持ち手の構造により、顔の大きさにフィットさせるよう調整が出来、隙間なくぴったりと口元を被うことが出来る。たたむと平らになり、広げると立体的になる構造で、保存に場所をとらない。使い捨てであり衛生的である。食事中はマスクを外したままの人がほとんどである現状に対し、このことにより、食事の際の会話時に容易に口を覆い、新型コロナウィルスの感染拡大防止のために飛沫拡散を防ぐ効果を高める。
【考案の詳細な説明】
【技術分野】
【０００１】  本考案は手に持つ紙製の支持体の枠に不織布、または紙製（抗菌）などの、飛沫拡散防止効果のある素材のマスクを接着し、マスク下部の持ち手の中央に折り目があるため、手による力加減で顔に密着させることのできる形状・構造である。手で持って口を覆うマスクに関するものである。【０００２】  支持体は地球環境に問題を起こさない素材である紙製で、またマスクに使用されている９９％ウィルスを通さない不織布など、効果が考えられる素材をマスク部に使用する。
【背景技術】
【０００３】  近年のコロナ対策においては、食事の際、感染を防ぐためには、食べ物を口に入れる時にはマスクを外し、口に入れ終わると改めてマスクを耳にかけ直すという行為を繰り返し行なわなければならなかった。
【考案の概要】
【考案が解決しようとする課題】
【０００４】  口に食べ物を入れる際は耳からマスクを外さなければならず、食べ物を口に入れ終わって会話をするためには再び耳にマスクをかけなくては感染が防げないが、いちいちこの行為の繰り返しは面倒なため、ほとんどの人々は一端食事を始めるとマスクをつけずに会話をしてしまう。このために会話時にマスクをしていないことで飛沫を飛ばし、感染拡大が起こる。これを面倒ではない装着によって改善しようとするものである。
【課題を解決するための手段】
【０００５】  本考案は従来のマスクの構造的な既成概念を変えたところにある。マスクは耳に掛けるものというのが常識であったが、食事の時は外さないと食べ物を口に入れることが出来ず、ずっと耳にかけているわけにはいかない。また複数の人間による会食では、料理と共に会話を楽しむため、無言でいることは出来ない。食事でマスクを外し会話時には再度マスクを装着することをずっと繰り返さなければならず、面倒で実行されなくなる。この手間のかかることを避けるために、手に持つマスクであれば、会話をしたいときにすぐに口を覆うことが容易で、会話時に口を覆っていることで飛沫を防ぎ、感染拡大を防止することが出来る。
【考案の効果】
【０００６】  このマスクを使用することによって複数の人々が集まる会食の場での飛沫拡散を防ぎ、会食時における新型コロナウィルスの飛沫感染防止対策に役立つ。
【図面の簡単な説明】
【０００７】
【図１】本考案の手に持つマスク「テーブルマナー・マスク」の支持体部分の正面平面図である。
【図２】本考案の手に持つマスク「テーブルマナー・マスク」の正面全体図である。
【図３】本考案の手に持つマスク「テーブルマナー・マスク」の不織布マスクを利用した場合の仕様正面図である。
【考案を実施するための形態】
【０００８】  本考案は飲み物であれば立食時でも使用可能であるが、基本的にはテーブルで食事をするときに使用することを前提としている。折り目のある持ち手を、外側からつかみ、その力加減で大きな顔でも小さな顔でもフィットさせることが出来、口にぴったりと当て、隙間の無い状態で会話を楽しむ。食事が出ればマスクを離し、スプーン、フォーク、箸などで食べ物を口に入れ、またすぐにマスクで口を覆う。ナイフとフォーク等両手を使わなければならないときはこのマスクをテーブル上に置く。いちいち耳にかける必要が無いため使いたいときにすぐに使え、基本的には口に食べ物を入れるときのみマスクを外せば良いので、咀嚼時も会話時も口は覆われ、飛沫防止の効果は大きい。使い捨てであるので衛生的である。
【実施例】
【０００９】  以下、添付図面に従って実施例を説明する。図１の１は本考案マスクの支持体部分で、枠と持ち手部分は一続きの紙製で、ボール紙のようなやや厚手のもの。使い捨てでき衛生的である。枠上部の端２は両端を接合させる。また持ち手の中央外側に向けた折り目３が付いており、ポイントはこの両者の構造により、支持体はたためば平面、広げれば立体性を持つマスクとなる。形状は子供用から男性大人用まで大きさの調整と外枠自体の様々なデザインバリエーション変化、色彩の選択も可能で、枠や持ち手にロゴや装飾をほどこすことも出来、枠はマスクの外側に出すことも内側にすることもデザインに合わせて調整が出来き、様々なシチュエーションに適合する。持ち手の中央部３には外側に突出した折り目が付いている。この折り目によりマスクを平面的に折りたため、且つ顔の大きさに合わせてぴったりフィットするよう、つかみ具合の力で調節する機能を持つ。【００１０】  図２の４のマスク部は外枠と接着してあり、ウィルスカット９９％の不織布、また場合によって紙製（抗菌）のものを使用。装着時に唇から離れた空間を保持するために立体的な膨らみを持った構造に仕立てている。ロゴを入れたり装飾をつけることも可能である。枠はマスクの外側に出すことも内側にすることもデザインに合わせて調整が出来る。【００１１】    図３の５は不織布プリーツ加工などの上部にワイヤーの入ったマスクを利用する場合で、上部の縁は省いて、立体的な膨らみを持たせ、鼻にフィットさせる。
【図１】
0003231542.tif 000003
【図２】
0003231542.tif 000004
【図３】
0003231542.tif 000005
【手続補正書】
【提出日】令和3年1月4日(2021.1.4)
【手続補正１】
【補正対象書類名】実用新案登録請求の範囲
【補正対象項目名】全文
【補正方法】変更
【補正の内容】
【実用新案登録請求の範囲】
【請求項１】
紙製または不織布のマスクを中央下部に持ち手のついたＹ字型の紙枠にふくらみを持たせて固定し、持ち手中央の折り目の握り具合により調整し、顔の大きさにフィットさせることのできるテーブルマナー・マスク。
(57)【要約】      （修正有）【課題】特別な器具を使用せず、確実に、内容物を無駄にすることなく、ペットボトルの内容物を、別のペットボトルに移し替えることを容易にする詰め替え用連結蓋を提供する。【解決手段】２個のペットボトルの蓋１を背中合わせにして貼り付け、中に穴を開け、両側にペットボトル２つをねじ込めるようにした。【選択図】図２
0003231543.tif 000002
【実用新案登録請求の範囲】
【請求項１】
ペットボトルの蓋２個を互いに背中合わせに貼り付けた形状で、中に穴を開け、両側にペットボトル２つをねじ込めるようにしたもの。
【考案の詳細な説明】
【技術分野】
【０００１】
本考案は、ペットボトルの内容物を、じょうご等を用いず、簡単に別のペットボトル容器に移し替えることを容易にしたものである。
【背景技術】
【０００２】
ペットボトルの内容物を、別のペットボトル容器に移し替えようとするとき、従来は、じょうごなどの器具を用いなければならなかった。
【先行技術文献】
【特許文献】
【０００３】
【特許文献１】なし
【非特許文献】
【０００４】
【非特許文献１】なし
【考案の概要】
【考案が解決しようとする課題】
【０００５】
ペットボトル同士での内容物の移し替えを特別な器具を使用せず容易に、且つ、確実に行うこと。
【課題を解決するための手段】
【０００６】
ペットボトルの蓋２個を互いに背中合わせに貼り付け、中に穴を開ける。
【０００７】
この蓋に、ペットボトルをそれぞれねじ込む。
【考案の効果】
【０００８】
ペットボトル２つがこの考案を通じて、内容物が通るようになる。
【０００９】
また、互いのペットボトルをきちんとねじ込むことにより、内容物が一切外部にこぼれることが無くなり、内容物の無駄が無くなる。
【図面の簡単な説明】
【００１０】
【図１】図１は、本考案を斜め上から見た図である。
【図２】図２は、本考案の断面図である。
【考案を実施するための形態】
【００１１】
本考案に、両側から、ペットボトルをそれぞれねじ込む。
【実施例】
【００１２】
図１の上下にそれぞれペットボトルをねじ込む。
【産業上の利用可能性】
【００１３】
害虫など、飛散しやすい内容物の移し替えに利用可能である。
【符号の説明】
【００１４】
１  蓋本体
２  ネジ部
３  ねじ込み止め
【図１】
0003231543.tif 000003
【図２】
0003231543.tif 000004
【手続補正書】
【提出日】令和3年2月6日(2021.2.6)
【手続補正１】
【補正対象書類名】実用新案登録請求の範囲
【補正対象項目名】全文
【補正方法】変更
【補正の内容】
【実用新案登録請求の範囲】
【請求項１】
ペットボトルの蓋２個を互いに背中合わせに貼り付けた形状で、中に穴を開け、両側からペットボトル２つをねじ込めるようにしたことを特徴とするペットボトル詰め替え用連結蓋
(57)【要約】      （修正有）【課題】料理を提供した際に時間の経過に伴い食品の温度が変化することによる味や硬さなどの品質の劣化を防ぐ保温皿又は保冷皿を提供する。【解決手段】食品や料理を乗せる皿の内部３に熱媒や冷媒が埋め込まれており、飲食店や家庭の台所にある温めや冷やす機能を持つ家電を利用して簡便に温度を調整した上で料理や食品を見込み１に載せる。【選択図】図１
0003231873.tif 000002
【実用新案登録請求の範囲】
【請求項１】
皿の内部に設けられた空洞に保温剤等の熱媒が埋め込まれていることを特徴とする保温皿。
【請求項２】
皿の内部に設けられた空洞に保冷剤等の冷媒が埋め込まれていることを特徴とする保冷皿。
【考案の詳細な説明】
【技術分野】
【０００１】本考案は、飲食店や家庭等で料理を長時間保温する皿及び保冷する皿に関するものである。
【背景技術】
【０００２】      飲食店、家庭等において食事をする際時間の経過と伴に料理の温度が変化してしまう上、従来の保温方法では各制約下にあり実用が汎用的では無かった。
【先行技術文献】
【特許文献】
【０００３】
【特許文献１】特開平０５−３１７１８７号  広報
【０００４】
【特許文献２】実全平０４−０５４２７１号  広報
【考案の概要】
【考案が解決しようとする課題】
【０００５】従来飲食店や家庭において料理を提供した際時間の経過に伴い食品の温度が変化してしまい、それにより味や硬さなどの品質が劣化してしまった。
また、劣化を防ごうとしても電源や熱源が必要である等の制約により実現が容易でなかった。これら課題を解決しようとするものである。
【課題を解決するための手段】
【０００６】本考案は、食品や料理を乗せる皿の内部に一定の温度を長時間保つ機能を有する熱媒や冷媒が埋め込まれており、飲食店や家庭の台所にある温めや冷やす機能を持つ家電を利用して簡便に温度を調整した上で料理や食品を載せることにより課題を解決する。
【考案の効果】
【０００７】上記により飲食店や家庭で簡便に温度調整が可能である上に、利用場面での制約が無いために長時間の保温や保冷を行う再現性が飛躍的に向上する。
したがって温度の変化に伴う品質の劣化を広い利用場面で大幅に減らすことができる。
【図面の簡単な説明】
【０００８】
【図１】本考案の一部切欠断面図である
【考案を実施するための形態】
【０００９】保温皿は電子レンジ等の温める家電を利用して皿を保温剤や蓄熱材などの熱媒ごと十分に温めてから食品や料理を載せる。
保冷皿は冷蔵庫や冷凍庫等を利用して皿を保冷剤などの冷媒ごと十分に冷やしてから食品や料理を載せる。
【実施例】
【００１０】保温皿の見込み１の上に焼きたてのピザ等を載せることでチーズが固まってしまうまでの時間を皿の胴２の内部にある温められた熱媒３に保温されることで大幅に延長し、食べきるまでおいしさを保つ。
保冷皿の見込み１の上にアイスクリーム等を載せることでアイスクリームが溶けてしまうまでの時間を皿の胴２の内部にある冷やされた冷媒３に保冷されることで大幅に延長し、食べきるまでおいしさを保つ。
【産業上の利用可能性】
【００１１】本考案により従来、飲食店等で課題であった時間に伴う料理品質の劣化を防ぐことで高い品質の維持を実現する。それにより飲食業務上の付加価値に寄与する。
【符号の説明】
【００１２】１  見込み
２  胴
３  胴の内側
４  高台
【図１】
0003231873.tif 000003
【手続補正書】
【提出日】令和3年1月18日(2021.1.18)
【手続補正１】
【補正対象書類名】実用新案登録請求の範囲
【補正対象項目名】全文
【補正方法】変更
【補正の内容】
【実用新案登録請求の範囲】
【請求項１】
皿の内部に設けられた空洞に保温剤または蓄熱材の熱媒が埋め込まれていることを特徴とする保温皿。
【請求項２】
皿の内部に設けられた空洞に保冷剤の冷媒が埋め込まれていることを特徴とする保冷皿。
(57)【要約】      （修正有）【課題】電動式靴磨機を提供する。【解決手段】保管箱の中に、モータ、及び、モータで回転されるスポンジ素材の回転盤Ａを備えた。【選択図】図１
0003231871.tif 000002
【実用新案登録請求の範囲】
【請求項１】
原動機つきで、ブラシでなく，スポンジの回軸式にしている。
【考案の詳細な説明】
【図面の簡単な説明】
【図１】第１図は本考案の電動式靴磨機の立体図
【図２】第２図は本考案の断面図
【図３】第３図は本考案の内部構造図
【考案の詳細な説明】
本考案はスポンジを素材とした，直径５ｃｍ．厚さ１．５ｃｍの回転盤をモーター，との回転比は４：１（モーター：回転盤）としたものである。
第１図（Ａ）回転盤は、素材はスポンジで成作
（Ｂ）回転軸の回転数とモーターの回転数の比は４：１
（Ｃ）蓋（フタ）の素材はプラスチック
回転盤の直径５．０ｃｍ  厚さ１．５ｃｍ
第２図本体素材はプラスチック
第３図本体の内部構造  電池、モーター  墨（スミ）
保管箱＝電池，スミ，モーター．回転盤  等
【図１】
0003231871.tif 000003
【図２】
0003231871.tif 000004
【図３】
0003231871.tif 000005
【手続補正書】
【提出日】令和2年11月10日(2020.11.10)
【手続補正１】
【補正対象書類名】実用新案登録請求の範囲
【補正対象項目名】全文
【補正方法】変更
【補正の内容】
【実用新案登録請求の範囲】
【請求項１】
保管箱の中にモータ及び前記モータで回転されるスポンジ素材の回転盤を備えた電動式靴磨機
(57)【要約】      （修正有）【課題】袋状に縫い合わせた布の間に、ネオジム磁石を貼り付けた芯材を入れて縫い閉じ、それを半分に折った間にマスクを挟む、手軽なマスクケースを提供する。【解決手段】袋状に縫い合わせた布１の内側に、ネオジム磁石３を四方の角から１ｃｍ及び２ｃｍあけた所に貼り付け、半分に折り目を付けた芯材２を入れて縫い閉じることにより、磁力で二つ折りの内側にマスクを挟み止めることができる。ネオジム磁石３は、磁力が強く、開閉する度に布を傷めてしまうため、磁石の上に当て布４をしてから、布１の内側に挿入する。間に非磁性の布などを挟んでも十分磁力が働くため、ボタンを止めるなどの手間を必要とせずにマスクを固定することが可能である。磁力が強力なため、マスクの素材によってある程度厚みが増しても、留めることができる。【選択図】図１
0003231872.tif 000002
【実用新案登録請求の範囲】
【請求項１】
袋状に縫い合わせた布の間に、角から１ｃｍかつ２ｃｍあけた場所にネオジム磁石を貼り付けた芯材を入れて縫い閉じ、マグネット同士が吸着するように半分に折り目をつけて、間にマスクを挟んで保管するマスクケース
【考案の詳細な説明】
【技術分野】
【０００１】  本考案は、マグネットで閉じるマスクケースに関するものである。
【背景技術】
【０００２】  現在流通しているマスクケースは、そのほとんどがボタンやスナップ、面ファスナーで留めるタイプのものである。
【考案の概要】
【考案が解決しようとする課題】
【０００３】  現在、マスクを使用する生活が当たり前になっており、それと同時に、エチケット意識の高まりから、専用ケースの需要も高まっている。一方、アンケート調査の結果からは、「できればマスクケースを使用した方が良いと思うが、しまう面倒さがある」などといった声も聞かれる。その点、現在流通している多くのものは、「留める」という一手間が加わるもの、もしくは、ボタンなどがついておらず、しまったマスクが飛び出てくるというリスクもある。
【課題を解決するための手段】
【０００４】  本考案は、袋状に縫い合わせた布の間に、角から１ｃｍ及び２ｃｍあけた所にネオジム磁石を貼り付けた芯材を入れて縫い閉じ、マグネット同士が吸着するように半分に折り目をつけて、間にマスクを挟む。使用したネオジム磁石は、形状は小型ながら強力で、磁石同士が近くと自然と磁力の働きで吸着するので、手で閉じる動きを補助するだけで良い。その点で、前述の問題点を解決している。
【図面の簡単な説明】
【０００５】
【図１】本考案のマスクケースの実施例を示す正面図である。
【符号の説明】
【０００６】  １  布製マスクケース本体
２  芯材
３  ネオジム磁石
４  当て布
【図１】
0003231872.tif 000003
【手続補正書】
【提出日】令和3年1月6日(2021.1.6)
【手続補正１】
【補正対象書類名】実用新案登録請求の範囲
【補正対象項目名】全文
【補正方法】変更
【補正の内容】
【実用新案登録請求の範囲】
【請求項１】
袋状に縫い合わせた布の四隅から１ｃｍ〜２ｃｍの場所にネオジム磁石を貼り付けた芯材を入れて縫い閉じ、マグネット同士が吸着するように半分に折り目をつけて、間にマスクを挟んで保管するマスクケース
【手続補正２】
【補正対象書類名】明細書
【補正対象項目名】０００４
【補正方法】変更
【補正の内容】
【０００４】本考案は、袋状に縫い合わせた布の四隅から１ｃｍ〜２ｃｍの場所にネオジム磁石を貼り付けた芯材を入れて縫い閉じ、マグネット同士が吸着するように半分に折り目をつけて、間にマスクを挟む。使用したネオジム磁石は、形状は小型ながら強力で、磁石同士が近づくと自然と磁力の働きで吸着するので、手で閉じる動きを補助するだけで良い。その点で、前述の問題点を解決している
(57)【要約】      （修正有）【課題】デスクやテーブル等の天板に簡単に設置することができると共に、収納可能なポータブルパーティションユニットを提供する。【解決手段】パーティションユニット１０はパーティション支柱２０が被設置面に挟着される脚部３０によって固定され、シートポール接続部４０によってパーティション支柱２０に脱着式に挿着されるシートポール５０を備えている。収納時にはシートポール５０をシートポール接続部４０から取り外し、貼着したポールに巻き付けることで収納する。【選択図】図１
0003231883.tif 000002
【実用新案登録請求の範囲】
【請求項１】
本考案はデスク等の天板に設けられる空間を仕切る渥着式で収納可能なポータブルパーティションであって、挟み具から延長された左右の支柱と、前記支柱に、ポールに透明シート部材を貼着した柔軟で巻き取り可能なシート部を備え、前記シート部を前記支柱に備え付けの通し孔に挿着し固定することを特徴とする渥着式で収納可能なポータブルパーティション。
【請求項２】
前記支柱は端に挟み具を有し、デスク等に挟着することができる請求項１記載のパーティション。
【請求項３】
前記パーティションはシート部が柔軟性のある透明素材であるため、貼着したポールに巻きつけることでシートポール部を収納することを特徴とした請求項１または２に記載のパーティション。
【考案の詳細な説明】
【技術分野】
【０００１】
本考案は、挟着式ポータブルパーティションに関するものである。
【背景技術】
【０００２】
従来より、オフィス空間や居住空間などの空間を複数に区画する際、天井から床面にかけて固定式のパーティションを設置したり（特許文献１ ）、床面から机上に可動式のパーティションを設置したり（特許文献2 ）、天井からパーティションを吊り下げたり（特許文献3 ）して空間分割している。近年、特にウィルスを含む飛沫の拡散を防止することを目的に、空間を区画するパーティションを設置する機会が増えている。
【先行技術文献】
【特許文献】
【０００３】
【特許文献１】特開２ ０ ２ ０ − ２ ６ ０ ８ 号公報
【特許文献２】特開２ ０ １ ５ − ８ ６ ６ １ ４ 号公報
【特許文献３】実用新案登録第３ １ ５ ５ ６ ７ ２ 号公報
【考案の概要】
【考案が解決しようとする課題】
【０００４】
しかしながら、従来のパーティションは、収納や簡単に持ち運びが出来ない等の問題がある。
【０００５】
本考案は、このような事情に鑑みてなされたもので、構造が容易で、簡単に設置、収納することができるパーティションを提供することを目的とする。
【課題を解決するための手段】
【０００６】
本考案の第１の観点はパーティション支柱に挟着式の挟み部を備えることで、デスク等の天板に簡単に設置することができる。
【０００７】
本考案の第２の観点は第１の観点のパーティションであって、前記のパーティション支柱に透明シートをポールに貼着したシートポール部材を挿着支持する部材を含む。
【０００８】
本考案の第３の観点は第１又は第２の観点のパーティションであって、前記シートポール部材は巻き取ることで小さく収納することができる。
【考案の効果】
【０００９】
本考案の各観点によれば、パーティション支柱をデスク等の天板に設置し、収納可能な透明シートポール部を備えることにより、収納時には持ち運び可能なパーティションを提供することができる。
【図面の簡単な説明】
【００１０】
【図１】本考案の実施形態であるパーテーションユニットを示す斜視図である。
【図２】同パーテーションユニットのシートポール接続部を拡大して示す斜視図である。
【図３】同パーテーションユニット支柱脚部を拡大して示す斜視図である。
【図４】同パーテーションユニットの収納時を示す斜視図である。
【考案を実施するための形態】
【００１１】
以下、図面を参照しつつ本考案の実施形態について説明する。
【００１２】
図１は本考案の実施の形態に係るパーティションユニットを示す斜視図、図2は同パーティションユニットのシートポール接続部を拡大して示す斜視図、図３は同パーティションユニットの脚部を拡大して示す斜視図、図４はパーティションユニットの収納時を示す斜視図である。パーティションユニットはイベントや会議などで受付や対応が行われるテーブル等の天板に設置して空間を仕切ることで、ウィルス・菌等の飛沫感染対策を行うよう機能する。
【産業上の利用可能性】
【００１３】
本考案はイベントや会議等の受付、接客の際にテーブル等の天板に設置して空間を仕切ることで、ウィルス・菌等の飛沫感染対策を行うパーティションユニットとして有効である。
【符号の説明】
【００１４】
１０…パーティションユニット
２０…パーティション支柱
３０…脚部
４０…シートポール接続部
５０…シートポール
【図１】
0003231883.tif 000003
【図２】
0003231883.tif 000004
【図３】
0003231883.tif 000005
【図４】
0003231883.tif 000006
【手続補正書】
【提出日】令和3年2月24日(2021.2.24)
【手続補正１】
【補正対象書類名】実用新案登録請求の範囲
【補正対象項目名】全文
【補正方法】変更
【補正の内容】
【実用新案登録請求の範囲】
【請求項１】
本考案はデスク等の天板に設けられる空間を仕切る挟着式で収納可能なポータブルパーティションであって、挟み具から延長された左右の支柱と、前記支柱に、ポールに透明シート部材を貼着した柔軟で巻き取り可能なシート部を備え、前記シート部を前記支柱に備え付けの通し孔に挿着し固定することを特徴とする挟着式で収納可能なポータブルパーティション。
【請求項２】
前記支柱は端に挟み具を有し、デスク等に挟着することができる請求項１記載のパーティション。
【請求項３】
前記パーティションはシート部が柔軟性のある透明素材であるため、貼着したポールに巻きつけることでシートポール部を収納することを特徴とした請求項１または２に記載のパーティション。
(57)【要約】      （修正有）【課題】遠投用中通し逆さ籠釣り仕掛けにおいて、構造がシンプルで、低コストで製作が可能な、特に底釣り用のフカセ籠釣り仕掛けの餌まき籠を提供する。【解決手段】フカセ籠釣り仕掛けの餌まき籠は、餌を入れる籠本体部１と籠蓋を含み、籠本体部は先頭部１１と籠部１０と、これらの中心を貫通する細管からなり、籠蓋は貫通穴を持つボール２からなり、道糸６を、先頭部から細管を通し、次にボールの貫通穴を通してハリス７の留め輪３に締結する。【選択図】図１
0003231859.tif 000002
【実用新案登録請求の範囲】
【請求項１】
フカセ籠釣り仕掛けの餌まき籠において、餌を入れる籠本体部と籠蓋を含み、前記籠本体部は先頭部と籠部と、これらの中心を貫通する細管からなり、籠蓋は貫通穴を持つボールからなり、道糸を、前記先頭部から細管を通し、次に前記ボールの貫通穴を通してハリス留め具に締結する構造を特徴とする餌まき籠。
【請求項２】
前記籠本体の先頭部分に調整錘を有する構造を特徴とする請求項１に記載の餌まき籠。
【考案の詳細な説明】
【技術分野】
【０００１】      本考案は、撒き餌を収容し撒き餌を放出する餌籠に関する。
【背景技術】
【０００２】      但馬には漁師の伝えたフカセ釣りがある。岩端から餌をポツリポツリと打ちながら、波の内返しに載せて仕掛けを沖へ沖へと送り込む釣り方である。この釣り方は繊細で豪快であるが、岩端は常に危険である。危険な岩端には出ずに、安全な高所からポイントへ仕掛けを投げ入れることがきるように、先行技術文献にみられるような仕掛けがある。これらの仕掛けには、岸から離れたポイント（漁場）おいて、ふかせ釣りと、アタリの感度のよいミャク釣りを両立させるべく、遠投用ふかせ釣り中通し逆さ撒き籠が開示されている。これらの例では籠に入れた撒き餌さの保持と放出のために籠の開閉のために複雑な構造となっている。結果として、部品点数も多く、コスト高となる。
【先行技術文献】
【特許文献】
【０００３】
【特許文献１】公開特許公報  特開２００８−２７１９３９号
【特許文献２】公開特許公報  特開２００３−１６９５７５号
【特許文献３】公開特許公報  特開平９−２３８６０４号
【考案の概要】
【考案が解決しようとする課題】
【０００４】      遠投用中通し逆さ籠釣り仕掛けにおいて、構造がシンプルで、低コストで製作が可能な、特に底釣り用のフカセ籠を提供する。
【課題を解決するための手段】
【０００５】      フカセ籠釣り仕掛けの餌まき籠において、餌を入れる籠本体部と籠蓋を含み、前記籠本体部は先頭部と籠部と、これらの中心を貫通する細管からなり、籠蓋は貫通穴を持つボールからなり、道糸を、前記先頭部から細管を通し、次に前記ボールの貫通穴を通してハリス留め具に締結する構造を特徴とする餌まき籠。
【考案の効果】
【０００６】      本考案の実施例に示すように、仕掛けの主な構成部品は籠本体部品と籠蓋部品の二つで少なく、構造もシンプルである。
仕掛けは３０ｍから５０ｍ程度遠投するが、籠内のオキアミは蓋のボールによって押さえられ、又オキアミ自体の粘着力によって籠から漏れることを防ぐことができる。
仕掛けは浮力調整により海底に一体となって沈むことができる。
仕掛けが海底に到達すると、道糸に引かれた仕掛けの先頭紡錘部は海底の潮流の上流方向を向くため、潮は紡錘部に沿って餌籠に流れこむ結果、蓋の役割をするボールと籠の隙間からオキアミ餌は間断なく放出され、潮の流れに沿って下流フカセ鈎餌の周りに効率よく撒くことができる。
仕掛けの取り込み時には、仕掛けの先端部分は紡錘形になっているため、巻取り抵抗を軽減でき、根掛かりも回避できる。
【図面の簡単な説明】
【０００７】
【図１】本考案の正面図
【図２】本考案のＡ−Ａ断面図
【図３】本考案の海底着地状態参考図
【考案を実施するための形態】
【０００８】  本考案の仕掛けでは、オキアミを入れる籠の出口は下を向くため、籠の中のオキアミがこぼれないように、蓋が必要である。そのために、ボールを蓋として用いている。図２にあるように、籠本体部の中心に細管を設けて道糸を通し、ボールに貫通穴を設けて該道糸を通して、該道糸を留め輪に締結することにより、籠に対してボールを蓋として機能させている。そして、当該留め輪にはハリスを締結することにより、「中通し逆さフカセ籠」仕掛けを形成している。
海中においては、当該中通し逆さフカセ籠を一体的に沈めるべく、ボールの浮力を差し引いた沈み込み重力と籠本体部の沈み込み重力をほぼ同適度にすべく、先頭紡錘部内部に設置した調整錘の重量を調整している。
【実施例】
【０００９】  以下、添付図面に従って一実施例を説明する。
図１は、本考案の籠本体部１と蓋のボール２を道糸６に通し、同道糸の先端を止め輪３に締結したものを空中で吊るしたものの正面図である。図２は図１のＡ−Ａ断面である。
籠本体部１は紡錘形をした先頭部分１１と籠１０からなり、先頭部１１の底面に籠１０の底外面をここでは接着している。
先頭部分１１は底面径約２５ｍｍ、高さ約５０ｍｍの紡錘形で材質はここでは木材を用い、樹脂塗料で表面をコーティングしている。籠１０は、底面径約２５ｍｍ、高さ約５０ｍｍのプラスチック籠である。より遠投するにはより重量のあるステンレス籠の方がよい。
図２に示すように先頭部１１の底面には、調整錘８収納するために直径約１０ｍｍ、深さ約２５ｍｍの円筒形の穴１２を設けている。また、符号５は外形２ｍｍ、肉厚約０．５ｍｍ、長さ約１００ｍｍの金属細管で、先頭部１１に圧入している。
符号２のボールは、外径が約１８ｍｍ、重量約５ｇの樹脂玉で、道糸６が通る内径約１ｍｍの穴が貫通している。
符号３は外径が約４ｍｍの金属輪で、道糸６を締結するとともに、ハリス７を締結している。【００１０】  図３は、調整錘の交換を可能にするために籠本体部の紡錘形先頭部と籠部とを脱着可能にした別の実施例を示すもので、該当部の拡大断面図である。符号１３の円内にある点線は、先頭部１１の底面部内径に設けた雌ねじと、籠底面部外径に設けた雄ねじを表している。【００１１】  図４は、沖のポイントへ投げて、本考案の中通し逆さ籠釣り仕掛けが海底に到達したものの参考図である。符号１０の籠がプラスチック籠の場合には３０〜４０ｍ遠投可能であり、ステンレス籠の場合には約５０ｍ遠投可能である。
【符号の説明】
【００１０】１  籠本体部
２  蓋ボール
３  留め輪
４  籠本体先頭部
５  細管
６  道糸
７  ハリス
８  調整錘
９  貫通穴
１０  籠
１１  先頭部
１２  調整錘設置スペース
１３  ねじ部
【図１】
0003231859.tif 000003
【図２】
0003231859.tif 000004
【図３】
0003231859.tif 000005
【図４】
0003231859.tif 000006
【手続補正書】
【提出日】令和3年2月4日(2021.2.4)
【手続補正１】
【補正対象書類名】明細書
【補正対象項目名】０００７
【補正方法】変更
【補正の内容】
【０００７】
【図１】本考案の正面図
【図２】本考案のＡ−Ａ断面図
【図３】本考案の紡錘形先頭部脱着構造実施例該当部拡大図
【図４】本考案の海底着地状態参考図
(57)【要約】      （修正有）【課題】筒体の表面に貼られたラベルの耐摩耗性を評価できる摩耗試験機を提供する。【解決手段】摩耗試験機１は、試験対象である筒体４を固定する固定部２１と、筒体４に当たる摩擦部２３と、摩擦部２３を往復動させる駆動部２４と、を備える。筒体４は、その表面にラベル４１が貼られたものである。摩擦部２３は、ラベル４１に摺接してこれを摩耗させるように構成されている。【選択図】図１
0003231895.tif 000002
【実用新案登録請求の範囲】
【請求項１】
試験対象である筒体を固定する固定部と、
前記筒体に当たる摩擦部と、
前記摩擦部を往復動させる駆動部と、を備え、
前記筒体は、
その表面にラベルが貼られたものであり、
前記摩擦部は、
前記ラベルに摺接してこれを摩耗させるように構成されている、
摩耗試験機。
【請求項２】
前記駆動部は、
モータと、
前記モータに連結されたクランク部と、を有する、
請求項１に記載の摩耗試験機。
【請求項３】
前記固定部は、
前記筒体の形態に応じて変位可能である、
請求項１または２に記載の摩耗試験機。
【考案の詳細な説明】
【技術分野】
【０００１】
本開示は、摩耗試験機に関する。
【背景技術】
【０００２】
従来、ペットボトル等の筒体の表面にラベルが貼られることが一般的である（特許文献１参照）。このようなラベルにおいては、例えば筒体を段ボールに収容して搬送する際に、該段ボールに繰り返し擦れて印刷等が薄くなることがある。そのため、ラベルは耐摩耗性を有することが望ましい。
【先行技術文献】
【特許文献】
【０００３】
【特許文献１】特開２０１７−１４９４７９号公報
【考案の概要】
【考案が解決しようとする課題】
【０００４】
本開示は、筒体の表面に貼られたラベルの耐摩耗性を評価することができる摩耗試験機を提供することを、目的とする。
【課題を解決するための手段】
【０００５】
本開示の一態様に係る摩耗試験機は、試験対象である筒体を固定する固定部と、前記筒体に当たる摩擦部と、前記摩擦部を往復動させる駆動部と、を備える。前記筒体は、その表面にラベルが貼られたものである。前記摩擦部は、前記ラベルに摺接してこれを摩耗させるように構成されている。
【考案の効果】
【０００６】
本開示の摩耗試験機は、筒体の表面に貼られたラベルの耐摩耗性を評価することができるという効果を奏する。
【図面の簡単な説明】
【０００７】
【図１】図１は、本開示に係る摩耗試験機の要部を示す概略側面図である。
【考案を実施するための形態】
【０００８】
（実施形態）
本実施形態の摩耗試験機１について、図１に基いて説明する。以下では、摩耗試験機１について、摩耗試験機１が設置された状態（図１参照）を基準として、上下方向を規定する。また、摩耗試験機１において後述の摩擦部２３が往復動する方向を前後方向と規定する。
【０００９】
本実施形態の摩耗試験機１は、筐体２及び制御部３を備えている。
【００１０】
制御部３は、例えば、ＣＰＵ（Ｃｅｎｔｒａｌ  Ｐｒｏｃｅｓｓｉｎｇ  Ｕｎｉｔ）等のプロセッサ及びメモリを含むコンピュータ（マイクロコンピュータを含む）を有するものである。
【００１１】
制御部３は、後述するモータ２６に対して電気的に接続されており、メモリに記憶された適宜のプログラムを実行することにより、モータ２６を回転駆動させるように構成されている。
【００１２】
筐体２は、一例として、前方に開口した断面コ字状の箱体である。筐体２は底部２０を有し、底部２０には固定部２１が設置されている。
【００１３】
固定部２１は、摩耗試験の試験対象である筒体４を着脱自在に固定するためのものである。固定部２１は、筒体４の形態（例えば筒体４の寸法形状等）に応じて、上下方向、前後方向等に変位可能に構成されている。
【００１４】
本実施形態の摩耗試験機１において、固定部２１は、筒体４を固定するための凸部２７を前後に有しているが、固定部２１の形態はこれに限定されない。例えば、固定部２１は、筒体４の両側面に当たる位置に凸部２７を有してもよい。
【００１５】
本実施形態の摩耗試験機１において、筒体４は、例えばガラス製のボトル、陶器製のボトル、又はプラスチック製のボトルである。筒体４は、その表面にラベル４１が貼られたものである。ラベル４１の形状は特に限定されず、筒体４の全周を囲むように設けられてもよいし、筒体４の周方向の一部だけを覆うように設けられてもよい。また、ラベル４１の素材は特に限定されず、ポリスチレン等の合成樹脂でもよいし、紙等の素材であってもよい。
【００１６】
筐体２の上面には、駆動部２４が設置されている。駆動部２４は、駆動源であるモータ２６と、モータ２６に連結されたクランク部２５と、クランク部２５に連結されたスライダ部２２とを有する。クランク部２５は、モータ２６から出力される回転動力を、前後方向の往復動力に変換するための機構である。
【００１７】
スライダ部２２は、前後方向に所定の範囲内で移動可能である。スライダ部２２には、摩擦部２３が連結されている。摩擦部２３は、筐体２内に位置するように設けられており、摩擦部２３の上方に位置するスライダ部２２と一体に前後方向に往復動する。
【００１８】
摩擦部２３は、筒体４の表面のラベル４１に摺接するように構成されている。本実施形態の摩耗試験機１において、摩擦部２３は、筒体４のラベル４１に対してその上方から当たるように構成されているが、これに限定されない。例えば、摩擦部２３は、筒体４のラベル４１に対してその側方、又は下方から当たるように構成されてもよい。
【００１９】
本実施形態の摩耗試験機１において、モータ２６の回転速度（ひいては摩擦部２３がラベル４１に摺接する速度）は、制御部３によって変更可能であることが好ましい。モータ２６は回転式の電動モータであるが、モータ２６の種類はこれに限定されない。モータ２６として、例えば直動式の電動モータを用いた場合には、クランク部２５は省略することが可能である。
【００２０】
（作用効果）
上記の実施形態に基いて説明したように、本開示の摩耗試験機１は、試験対象である筒体４を固定する固定部２１と、筒体４に当たる摩擦部２３と、摩擦部２３を往復動させる駆動部２４とを備える。筒体４は、その表面にラベル４１が貼られたものである。スライダ部２２は、ラベル４１に摺接してこれを摩耗させるように構成されている。
【００２１】
したがって、本開示の摩耗試験機１によれば、筒体４に貼られたラベル４１の耐摩耗性を評価することができる。
【００２２】
また、本開示の摩耗試験機１において、駆動部２４は、モータ２６と、モータ２６に連結されたクランク部２５とを有する。
【００２３】
したがって、本開示の摩耗試験機１によれば、回転式のモータ２６出力する回転動力を用いて摩擦部２３を往復動させ、ラベル４１の耐摩耗性を評価することができる。
【００２４】
また、本開示の摩耗試験機１において、固定部２１は、筒体４の形態に応じて変位可能である。
【００２５】
したがって、本開示の摩耗試験機１によれば、多様な形態の筒体４のラベル４１の耐摩耗性を評価することができる。
【符号の説明】
【００２６】
１      摩耗試験機
２１    固定部
２３    摩擦部
２４    駆動部
２５    クランク部
２６    モータ
４      筒体
４１    ラベル
【図１】
0003231895.tif 000003
(57)【要約】      （修正有）【課題】イカ釣りの仕掛けをイカに警戒されにくい仕掛けにし、効率よくイカを釣り上げ、餌を捕食する大きな魚も釣り上げることを可能にするイカ釣り針を提供する。【解決手段】イカ釣り針１０１は、針先に返しが無い釣り針２３と餌である魚７の口８付近の柔らかい部分に掛けられる針先に返しが有る釣り針１とを１つに組み合わせたもので、イカ釣り針１０１を、魚７の尾９近傍に掛ける固定針２と、固定針２の軸を挿通された状態の管３と、ハリス４と、を備える誘導イカ釣り針仕掛けに使用することでイカ１２を確立高く釣り上げ、大きな魚も釣り上げる。【選択図】図３
0003231898.tif 000002
【実用新案登録請求の範囲】
【請求項１】
針先に返しが無い２〜２０本の釣り針と餌である魚の口付近の柔らかい部分に掛けられる針先に返しが有る１〜３本の釣り針とを、１つに組み合わせたことを特徴とするイカ釣り針。
【考案の詳細な説明】
【技術分野】
【０００１】
生きた魚を餌とするイカ釣り針仕掛けに使用するイカ釣り針に関するものである。
【背景技術】
【０００２】
イカ釣り針が餌に抱きついたイカへ誘導される仕掛けは、大きい部品を持つためイカに警戒される。その結果イカが、針掛かりしにくい仕掛けとなっている。またイカ釣りに適する針先に返しが無い釣り針は大きな魚には適していない。
【先行技術文献】
【特許文献】
【０００３】
【特許文献１】実登3071048
【特許文献２】特開2020-80674
【考案の概要】
【考案が解決しようとする課題】
【０００４】
解決しようとする問題は、第一にヤエンなどの大きい部品を持つイカ釣り仕掛けは、イカが警戒し逃げることである。第二に針先に返しの有る釣り針はとイカに深く掛かりにくい問題がある。第三にイカに深く掛かる針先に返しの無い釣り針は、激しく頭を振り逃げようとする魚が掛かった場合釣り針から外れることが多いという問題がある。特に第二の問題と第三の問題は相反する問題である。
【課題を解決するための手段】
【０００５】
本考案は、針先に返しが無い２〜２０本の釣り針と餌である魚の口付近の柔らかい部分に掛けられる針先に返しが有る１〜３本の釣り針とを、１つに組み合わせたことを特徴とするイカ釣り針である。
【考案の効果】
【０００６】
本考案のイカ釣り針は、ヤエンなど大きい部品では無いので、イカが警戒せず餌を抱え込む。その後、針先に返しの無い釣り針がイカに対し深く掛かるのでイカが外れにくい。また大きな魚が餌を捕食した場合は針先に返しの有る釣り針が刺されば釣り針が外れにくく魚も釣り上げることが出来る。この時、針先に返しの無い釣り針は外れてしまうが問題ではない。つまり、針先に返しの無い釣り針と針先に返しの有る釣り針がそれぞれの長所を活かすイカ釣り針であるといえる。また、イカ釣り針がイカに誘導される仕掛けなどに使用する場合、針先に返しの有る釣り針を餌に掛ければイカ釣り針が脱落しない効果もある。
【図面の簡単な説明】
【０００７】
【図１】図１は本考案のイカ釣り針１０１を示した説明図である。（実施例１）
【図２】図２は本考案を誘導イカ釣り針仕掛けに適用した説明図である。（実施例２）
【図３】図３は誘導イカ釣り針仕掛けがイカに針掛かりすることを示す説明図である。（実施例３）
【考案を実施するための形態】
【０００８】
下記の実施例をもって考案を実施するための形態を説明する。
【実施例１】
【０００９】
図１は、本考案のイカ釣り針１０１の実施例である。針先２２に返し２５が有る２本の釣り針１が内側にあり、針先２２に返しが無い２本の釣り針２３が外側に配置された実施例である。合計４本の釣り針がイカ釣り針１０１を構成しており、ハリスが結束される輪２４も有している。返しの有る釣り針が魚の口や鼻周りにある柔らかい部分などに掛けられる（骨に掛けた場合はイカ釣り針１０１が魚９から抜けないことが多い）。針先に返しがある釣り針の本数は針外しの手間やイカの掛けやすさを考慮すると１〜３本の範囲が適切であり、２本とするのが望ましい。針先に返しが無い釣り針の本数に制限はないが、２〜２０本程度が望ましい。多すぎると針先間隔が小さくなりイカを掛ける効率が下がる。イカ釣り針１０１の全ての針先の方向は、いろんな角度から接近するイカや魚が掛かるようにするため同じ向きでなくて構わない。また、釣り針の長さも同じでなくて良い。
【実施例２】
【００１０】
図２は、本考案を誘導イカ釣り針仕掛けに適用した実施例２である。  この誘導イカ釣り針仕掛けは、針先に返しの無い釣り針２３と針先に返しが有る釣り針１を組み合わせたイカ釣り針１０１と、図３中の魚７の尾９近傍に掛けられる固定針２と、固定針２の軸１６を挿通された状態の管３と、ハリス４からなる。ハリス４は管３を通り一端５がイカ釣り針１０１の輪２４に結束されている。ハリス４の他端６はサルカン１９を介して道糸１８などに繋がっている。
【実施例３】
【００１１】
図３は、誘導イカ釣り針仕掛けがイカに針掛かりすることを示す実施例３である。魚７の口８付近の柔らかい部分にイカ釣り針１０１の針先の返しが有る釣り針１が掛けられ、針先の返しが無い釣り針２３は魚７に掛けられていない。イカ１２は魚７の頭１１とハリス４を一緒に足１３で抱え込みイカの胴方向１７へ逃げる習性があり、イカ釣り針１０１が引かれる方向１４とハリスを引く方向１５の角度差が小さくなるので、引く力が効率よくイカ釣り針１０１に掛かる仕掛けである。よって、ハリス４の他端６が強く引かれることで、魚７の口８付近の柔らかい部分を針先に返しが有る釣り針１が裂いて外れ、イカ釣り針１０１が固定針２の方向１４へ誘導される。この時イカ１２の足１３が魚７の頭部１１とハリス４とを一緒に抱いた状態なので誘導されたイカ釣り針１０１がイカ１２に針掛かりする。また針先に返しが有る釣り針１は魚７の口８自体に掛けても構わない。固定針２は魚７の背中１０に掛けても効果は同じである。針先に返しの無い釣り針２３はイカが掛かりやすく、針先に返しが有る釣り針１はイカ釣り針１０１の魚７からの脱落を防ぎ、また大きな魚が掛かれば逃さない効果もある。
【符号の説明】
【００１２】
１    針先に返しが有る釣り針
２    固定針
３    管
４    ハリス
５    一端
６    他端
７    魚
８    口
９    尾
１０  背中  
１１  頭部
１２  イカ
１３  足
１４  イカ釣り針が引かれる方向
１５  ハリスを引く方向
１６  固定針の軸
１７  イカが引く方向
１８  道糸
１９  サルカン
２２  釣り針の針先
２３  針先に返しが無い釣り針
２４  ハリスが結束される輪
２５  釣り針の返し  
１０１  イカ釣り針
【図１】
0003231898.tif 000003
【図２】
0003231898.tif 000004
【図３】
0003231898.tif 000005
(57)【要約】      （修正有）【課題】省エネ効果を向上させ、設置コストや設置スペースを低減させた風配送装置を提供する。【解決手段】風配送装置Ａは、床置きエアコン１の風送出口１ａに連結され、水平方向に延びた中空の本体２を備えている。本体２の上面には、床置きエアコン１の風送出口１ａからの風を上方向に吹き出すための吹出口２ａが形成されている。各吹出口２ａは、風調整板３によって塞ぐことができ、風調整板３によって吹出口２ａを塞いだり、塞がなかったりすることにより、風量を調整することができる。【選択図】図１
0003231808.tif 000002
【実用新案登録請求の範囲】
【請求項１】
床置きエアコンの風送出口に連結され、水平方向に延びた中空の本体を備え、
前記本体には前記床置きエアコンの風送出口からの風を上方向に吹き出すための吹出口が形成されている、
ことを特徴とする風配送装置。
【請求項２】
前記吹出口を塞ぐための風調整板が本体に取り付けられていることを特徴する請求項１に記載の風配送装置。
【請求項３】
前記床置きエアコンの風送出口と前記本体とは、連結部を介して連結されていることを特徴する請求項１又は２に記載の風配送装置。
【考案の詳細な説明】
【技術分野】
【０００１】
本考案は風配送装置に関し、特に、床置きエアコンの風送出口に連結される風配送装置に関する。
【背景技術】
【０００２】
一般にエアコンは、部屋の上部に設置されており、エアコンからの温風や冷風は、下方向に向けて送出し床面付近を温めたり、冷やしたりするように設計されている。
【０００３】
しかし、現実には温風や冷風は風送出口から1.0〜1.5m位まで下方向に向かうが、風速が落ちるため、温風は軽いために上方向に向きを変え、冷風も温まって上方向に向きを変え、天井方向に集合してしまい、部屋に居る利用者まで効率よく届かないと言う問題があった。
【０００４】
そのため、部屋の上部に設置された従来のエアコンでは、床面の必要部位を暖めたり冷やしたりするす機能が不十分であり、省エネの点でも問題があった。
【０００５】
上記の問題に対して、従来技術として、エアコン本体の下面側に温風を取出すダクト取付口を設け、ダクト取付口に、任意長さの折り曲げ可能な配送ダクトを取付け、配送ダクトの他端を排出口とし、必要部位に向け温風を配送するようにしたエアコンの温風配送装置が提案されている（以下、従来例という）。
【特許文献１】特許第４６６９９５８号公報
【考案の開示】
【考案が解決しようとする課題】
【０００６】
しかし、従来例では、エアコン本体の下面側に温風を取出すために、利用者の足元まで延びた長い配送ダクトを取り付ける必要があり、設置のためのコストがかかり、設置スペースが大きくなるという課題があった。
【０００７】
本考案は、上記課題を解決するためになされたものであり、省エネ効果を向上させ、設置コストや設置スペースを低減させた風配送装置を提供することを目的とする。
【課題を解決するための手段】
【０００８】
本考案の風配送装置は、床置きエアコンの風送出口に連結され、水平方向に延びた中空の本体を備え、前記本体には前記床置きエアコンの風送出口からの風を上方向に吹き出すための吹出口が形成されていることを特徴とするものである。
前記吹出口を塞ぐための風調整板が本体に取り付けられていてもよい。
前記床置きエアコンの風送出口と前記本体とは、連結部を介して連結されていてもよい。
【考案の効果】
【０００９】
本考案の風配送装置によれば、次のような効果を奏する。
（１）床置きエアコンの風送出口からの風は吹出口を介して上方向に吹き出すため、利用者の必要部位を効率的に温めたり、冷やしたりすることができ、省エネ効率を向上させることができる。
【００１０】
（２）床置きエアコンには床付近まで延びた長い配送ダクトを連結する必要がないので、設置コストや設置スペースを低減させることができる。
【考案を実施するための最良の形態】
【００１１】
以下、本考案の実施の形態について図面を参照して説明する。
図１（Ａ）は本考案の実施例に係る風配送装置の構成を示す斜視図、（Ｂ）は（Ａ）の縦断面図、図２は本考案の実施例に係る風配送装置の分解斜視図である。
【００１２】
図１（Ａ）及び（Ｂ）に示すように、本考案の風配送装置Ａは、床置きエアコン１の風送出口１ａに連結され、水平方向に延びた中空の本体２を備えている。
【００１３】
本体２の上面には、床置きエアコン１の風送出口１ａからの風を上方向に吹き出すための吹出口２ａが複数（実施例では２つ）形成されている。
【００１４】
また、各吹出口２ａは、風調整板３によって塞ぐことができ、風調整板３によって吹出口２ａを塞いだり、塞がなかったりすることにより、風量を調整することができる。風調整板３は、本体２の上面に形成されたネジ穴２ｂにネジ２ｃを螺着して固定される（図１（Ａ）及び図２参照）。
【００１５】
本体２の先端部には、取手４ａを備えた蓋部４によって閉じられている。蓋部４は、本体２の先端の側面に形成されたネジ穴４ｂにネジ４ｃを螺着して固定される（図１（Ａ）及び図２参照）。
【００１６】
本考案の風配送装置Ａによれば、床置きエアコン１の風送出口１ａからの風は吹出口２ａを介して上方向に吹き出すため（図１（Ｂ）の矢印参照）、利用者の必要部位を効率的に温めたり、冷やしたりすることができ、省エネ効率を向上させることができる。
【００１７】
また、床置きエアコン１には床付近まで延びた長い配送ダクトを連結する必要がないので、設置コストや設置スペースを低減させることができる。
【００１８】
図３は本考案の他の実施例に係る風配送装置Ａの構成を示す斜視図である。
【００１９】
図３に示すように、床置きエアコン１の風送出口１ａと本体２とは、中空の連結部５を介して連結されていてもよい。この他の実施例では、例えば、高さ調整台６の上部に風配送装置Ａを載せることにより、床置きエアコン１の風送出口１ａ３からの風は、連結部５を通り、床面よりも高い位置にある吹出口２ａを介して上方向に吹き出すため、利用者の必要部位をより効率的に温めたり、冷やしたりすることができ、省エネ効率をより向上させることができる。
【００２０】
本考案は、上記実施の形態に限定されることはなく、実用新案登録請求の範囲に記載された技術的事項の範囲内において、種々の変更が可能である。例えば、本体２に形成される吹出口２ａは１つでもよく複数存在してもよい。
【産業上の利用可能性】
【００２１】
本考案は、床置きエアコンの風送出口に連結される風配送装置として産業上利用できる。
【図面の簡単な説明】
【００２２】
【図１】（Ａ）は本考案の実施例に係る風配送装置の構成を示す斜視図、（Ｂ）は（Ａ）の縦断面図である。
【図２】本考案の実施例に係る風配送装置の分解斜視図である。
【図３】本考案の他の実施例に係る風配送装置の構成を示す斜視図
【符号の説明】
【００２３】
Ａ：風配送装置
１：床置きエアコン
１ａ：風送出口
２：本体
２ａ：吹出口
３：風調整板
４：蓋部
５：連結部
６：高さ調整台
【図１】
0003231808.tif 000003
【図２】
0003231808.tif 000004
【図３】
0003231808.tif 000005